(57)【要約】      （修正有）【課題】重い荷物を持った乗客が操作する場合でも、容易に戸閉押釦を操作することができるエレベータのかご操作盤を得る。【解決手段】エレベータのかご室内に設けられた複数の行先階登録釦５と、この行先階登録釦５とは別に設けられ、行先階登録釦５の少なくとも何れか１つを操作する際の１操作によって行先階登録釦５とともに操作可能な戸閉押釦６とを備えることにより、片手による１操作によって希望する行先階の登録と戸閉動作の登録とを同時に操作可能とする。【選択図】図４
2006298533.tif 000002
【特許請求の範囲】
【請求項１】
エレベータのかご室内に設けられた複数の行先階登録釦と、この行先階登録釦とは別に設けられ、前記行先階登録釦の少なくとも何れか１つを操作する際の１操作によって前記行先階登録釦とともに操作可能な戸閉押釦とを備えたことを特徴とするエレベータのかご操作盤。
【請求項２】
エレベータのかご室内に設けられた複数の行先階登録釦並びに互いに隣接するように配置された戸開押釦及び第一戸閉押釦と、前記行先階登録釦とは別に設けられ、前記行先階登録釦の少なくとも何れか１つを操作する際の１操作によって前記行先階登録釦とともに操作可能な第二戸閉押釦とを備えたことを特徴とするエレベータのかご操作盤。
【請求項３】
行先階登録釦は縦に並んで配置され、戸閉押釦又は第二戸閉押釦は、前記行先階登録釦の少なくとも何れか１つと所定の間隔を有して左右何れかに隣接するように配置されたことを特徴とする請求項１又は請求項２に記載のエレベータのかご操作盤。
【請求項４】
行先階登録釦は横に並んで配置され、戸閉押釦又は第二戸閉押釦は、前記行先階登録釦の少なくとも何れか１つと所定の間隔を有して上下何れかに隣接するように配置されたことを特徴とする請求項１又は請求項２に記載のエレベータのかご操作盤。
【請求項５】
戸閉押釦又は第二戸閉押釦は、全ての行先階登録釦に対して隣接するように配置されたことを特徴とする請求項３又は請求項４に記載のエレベータのかご操作盤。
【請求項６】
行先階登録釦の操作面は、戸閉押釦又は第二戸閉押釦に隣接する隣接端部よりも階床表示部がかご室内側に突出することを特徴とする請求項１から請求項５の何れかに記載のエレベータのかご操作盤。
【請求項７】
戸閉押釦又は第二戸閉押釦は、行先階登録釦の少なくとも何れか１つの操作面内に配置されたことを特徴とする請求項１又は請求項２に記載のエレベータのかご操作盤。
【請求項８】
戸閉押釦又は第二戸閉押釦は、各行先階登録釦の操作面内にそれぞれ配置されたことを特徴とする請求項７に記載のエレベータのかご操作盤。
【請求項９】
行先階登録釦は、戸閉押釦又は第二戸閉押釦が配置された操作面の一部よりも階床表示部がかご室内側に突出することを特徴とする請求項７又は請求項８に記載のエレベータのかご操作盤。
【請求項１０】
行先階登録釦は、その操作時においても階床表示部が戸閉押釦の操作面又は第二戸閉押釦の操作面よりも常時かご室内側に突出することを特徴とする請求項６又は請求項９に記載のエレベータのかご操作盤。
【発明の詳細な説明】
【技術分野】
【０００１】
この発明は、エレベータのかご室内に設けられたかご操作盤に関するものである。
【背景技術】
【０００２】
エレベータのかご室内に備えられたかご操作盤は、通常、乗客が出入りするかご出入口の側方に設けられている。そして、従来のかご操作盤には、乗客が行先階を登録する各階の行先階登録釦の他に、かごの昇降方向表示器や現在の階床表示器、戸開押釦、戸閉押釦等が備えられており、上記行先階登録釦が縦に並んで配置され、上記戸開押釦及び戸閉押釦が行先階登録釦の上方又は下方に横に並んで配置されていた（例えば、特許文献１参照）。
【０００３】
また、エレベータのかごは、ある階床の乗場において乗場呼びが登録されると、当該乗場に停止した後に戸開動作が開始され、戸全開して所定時間経過後に自動的に戸閉動作が開始されるように制御されている。ここで、戸閉動作を開始するまでの上記所定時間は、例えば、所定の人数の乗客が乗降するのに十分な時間に合わせて設定されている。このため、乗客が急いでいる場合や、エレベータを利用する乗客が１人しかいない場合等には、かご内の乗客は、戸閉動作の開始を早めるため、行先階登録釦を押して自分の行先階を登録した後、必ずと言っていいほど戸閉押釦の操作を行っていた。
【０００４】
【特許文献１】特開平５−１４７８７６号公報（図３）
【発明の開示】
【発明が解決しようとする課題】
【０００５】
上記特許文献１の図３におけるエレベータのかご操作盤では、かご室内の乗客が行先階登録釦を押した後に戸閉押釦を操作する場合、行先階登録釦を押した後にその腕をさらに上方に持ち上げて戸閉押釦を押さなければならず、操作性が悪いという問題があった。特に、乗客が両手に重い荷物を抱えている場合や、雨の日に濡れた傘を持っている場合には、上方に配置された戸閉押釦に手が届かなかったり、戸閉押釦を押す際に衣服がぬれたりするといった問題も生じていた。また、通常、戸開押釦と戸閉押釦とは横に並んで配置されるとともに、「開」及び「閉」という似通った１文字の漢字や同じようなイラストにより表記されているため、乗客が戸閉押釦を押す際に、どちらが戸閉押釦なのかを一瞬で判断することができない場合もあった。
【０００６】
なお、特許文献１記載のエレベータのかご操作盤には、戸閉押釦を廃止することにより戸閉め機能の濫用を防止して、乗り合わせ効率の向上及び誤操作による挟み込みの防止を図ったものも提案されているが、戸閉押釦による操作は殆どの乗客により行われているものであり、エレベータの利便性を悪化させる要因となってしまう。
【０００７】
この発明は、上述のような課題を解決するためになされたもので、その目的は、戸閉押釦の操作を容易に行うことができるエレベータのかご操作盤を提供することである。
【課題を解決するための手段】
【０００８】
この発明に係るエレベータのかご操作盤は、エレベータのかご室内に設けられた複数の行先階登録釦と、この行先階登録釦とは別に設けられ、行先階登録釦の少なくとも何れか１つを操作する際の１操作によって行先階登録釦とともに操作可能な戸閉押釦とを備えたものである。
【発明の効果】
【０００９】
この発明は、エレベータのかご室内に設けられた複数の行先階登録釦と、この行先階登録釦とは別に設けられ、行先階登録釦の少なくとも何れか１つを操作する際の１操作によって行先階登録釦とともに操作可能な戸閉押釦とを備える構成としたことで、戸閉押釦の操作を容易に行うことが可能となる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１におけるエレベータのかご操作盤の正面図、図２はその横断面図であり、かご室内のかご出入口側方の袖壁に設けられたかご操作盤を示したものである。図１及び図２において、かご出入口側方の袖壁に設けられたかご操作盤には、上方から、かごの昇降方向を表示する昇降方向表示器１、かごの現在位置を表示する階床表示器２、かごの停止中に戸開動作を開始させる戸開押釦３及びかごの停止中に戸閉動作を開始させる第一戸閉押釦４が設けられており、上記戸開押釦３と第一戸閉押釦４とは、互いに隣接するように横に並んで配置されている。
【００１２】
また、上記戸開押釦３と第一戸閉押釦４との下方には、乗客が自分の希望する行先階を登録する複数の行先階登録釦５と、この行先階登録釦５とは別に設けられて、かごの停止中に戸閉動作を開始させる１つの第二戸閉押釦６とが設けられている。上記行先階登録釦５は、各階床の乗場に対応する押釦が所定間隔毎に縦に一列に並んで配置されている。そして、上記第二戸閉押釦６は、縦に並んで配置された各行先階登録釦５の全ての押釦に対して隣接するように、各行先階登録釦５と所定の間隔を有してその一側に縦長に配置されている。
【００１３】
ここで、各行先階登録釦５は、かご操作盤の化粧板７の裏側に設けられたハウジング８内に収納されており、乗客がかご室内において行先階を登録する際に触れる操作面５ａが、化粧板７に形成された開口部からかご室内側に突出するように配置されている。この行先階登録釦５の各操作面５ａは、従来の行先階登録釦よりも横幅が広い略長方形状を呈しており、各階床を表す数字等が表示された階床表示部５ｂ、即ち、図１及び図２における操作面５ａの中央部は、その周縁部よりもかご室内側に突出するように一段高く構成されている。また、各行先階登録釦５は、ハウジング８との間に設けられたコイルバネ等の付勢体９により、操作面５ａがかご室内側に突出するように付勢されている。なお、８ａ及び８ｂはハウジング８の内面に設けられた電気接点、５ｃ及び５ｄはこれらの電気接点８ａ及び８ｂにそれぞれ所定の間隙を有して対向するように行先階登録釦５に設けられ、かご室内の乗客により行先階登録釦５が押された際に電気接点８ａ及び８ｂに接触するように配置された電気接点である。
【００１４】
また、第二戸閉押釦６は、かご操作盤の化粧板７の裏側に設けられたハウジング１０内に収納されており、ハウジング１０との間に設けられたコイルバネ等の付勢体１１により、その操作面６ａが化粧板７に形成された開口部からかご室内側に突出するように配置されている。ここで、第二戸閉押釦６の操作面６ａは、同じく化粧板７の開口部からかご室内側に突出する行先階登録釦５の操作面５ａの周縁部と略面一となるように配置されており、操作面５ａの階床表示部５ｂの方がかご室内側に突出するように階床表示部５ｂよりも一段低く構成されている。なお、１０ａ及び１０ｂはハウジング１０の内面に設けられた電気接点、６ｂ及び６ｃはこれらの電気接点１０ａ及び１０ｂにそれぞれ所定の間隙を有して対向するように第二戸閉押釦６に設けられ、かご室内の乗客により第二戸閉押釦６が押された際に電気接点１０ａ及び１０ｂに接触するように配置された電気接点である。
【００１５】
また、図３は、図１に示すエレベータのかご操作盤の電気回路図である。図３において、Ｃ１からＣ４は、各行先階登録釦５の電気接点５ｃ及び５ｄがハウジング８の電気接点８ａ及び８ｂに接触することにより短絡するスイッチを示し、例えば、かご室内の乗客によって１階を表示する行先階登録釦５が押されることにより、スイッチＣ１の短絡によって発生する１階の行先呼び信号がエレベータの外部信号取込Ｉ／Ｆ１２に入力される。また、Ｃ５は、第一戸閉押釦４が乗客によって押されることにより短絡する戸閉スイッチ、Ｃ６は、第二戸閉押釦６の電気接点６ｂ及び６ｃがハウジング１０の電気接点１０ａ及び１０ｂに接触することにより短絡する戸閉スイッチを示し、かご室内の乗客によって第一戸閉押釦４又は第二戸閉押釦６が押されることにより、戸閉スイッチＣ５又はＣ６の短絡によって発生する戸閉信号がエレベータの外部信号取込Ｉ／Ｆ１２に入力される。
【００１６】
次に、図４に基づいて、かご室内の乗客が上記構成を有するエレベータのかご操作盤を操作する場合について説明する。なお、図４は、１階へ降りようとしている乗客がかご室内に乗り込んだ際の操作の状況を示したものである。図４において、エレベータ乗場からかご室内へ乗り込んだ乗客は、１階が表示された行先階登録釦５と第二戸閉押釦６との互いに隣接する隣接端部同士を同じ指で同時に操作することにより、自分の希望する行先階の登録と戸閉動作の登録とを１回の操作で行う。なお、かかる操作において、乗客の指は、行先階登録釦５の階床表示部５ｂ以外の操作面５ａに触れている。すると、スイッチＣ１及び戸閉スイッチＣ６が短絡することにより、エレベータの外部信号取込Ｉ／Ｆ１２には、１階の行先呼び信号と戸閉信号とがほぼ同時に入力される。そして、図示しないエレベータ制御手段により、直ちに戸閉動作が開始されるとともに、戸全閉後、かごの１階への移動が行われる。
【００１７】
この発明の実施の形態１によれば、各行先階登録釦５と第二戸閉押釦６とが所定の間隙を有して左右に互いに隣接するように配置されているため、乗客は、行先階の登録を行う際の１操作によって、この行先階の登録の操作とともに戸閉動作の登録を行う操作を同時に行うことができ、操作性に優れる。特に、乗客が両手に重い荷物を抱えた状態で操作しなければならない場合等には、片手の１操作により行先階登録釦５と第二戸閉押釦６とを共に操作できるため有効な手段となる。また、不審者等を発見して早く戸閉動作を開始させたい場合等にも有効であり、防犯上の効果も期待できる。
【００１８】
また、第二戸閉押釦６が戸開押釦３とは離れた場所に配置されているため、乗客は第二戸閉押釦６を押す際に迷ったりすることもなく、乗客がかご室内に乗車後、直ちに戸閉動作を開始することができ、エレベータの運転効率を高めることもできる。
【００１９】
なお、第二戸閉押釦６の機能を知らない乗客が上記かご操作盤を操作する場合でも、誤って第二戸閉押釦６を押してしまうような誤操作を防止することも可能である。即ち、行先階登録釦５の操作面５ａは階床表示部５ｂが他の部分よりも一段高くなるように構成されているため、行先階登録釦５が押された際の階床表示部５ｂを、押されていない第二戸閉押釦６の操作面６ａよりもかご室内側に常時突出するように配置することにより、乗客の操作する指が第二戸閉押釦６に接触することを防止することが可能となる。
【００２０】
この発明の実施の形態１では、各行先階登録釦５の右側に第二戸閉押釦６が配置されている場合について説明したが、第二戸閉押釦６は、各行先階登録釦５の左側に隣接するように配置されていても同様の効果を奏することは言うまでもない。
【００２１】
実施の形態２．
図５は、この発明の実施の形態２におけるエレベータのかご操作盤の操作を説明するための図である。図５において、第二戸閉押釦１３は、縦に一列に並んで配置された複数の行先階登録釦５のうち、最も操作されることが多いと想定される行先階登録釦５にのみ隣接するように、その行先階登録釦５と所定の間隔を有して一側に配置されている。なお、図５は、エレベータが設置された建築物の出入口階が１階にのみ設けられている場合の第二戸閉押釦１３の配置を示したものである。
【００２２】
上記構成を有するかご操作盤を操作して１階へ降りる場合、エレベータ乗場からかご室内へ乗り込んだ乗客は、１階が表示された行先階登録釦５と第二戸閉押釦１３との互いに隣接する端部同士を同じ指で同時に操作することにより、自分の希望する行先階の登録と戸閉動作の登録とを１回の操作で行う。なお、その他の構成は、実施の形態１と同様である。かかる構成を有することにより、第二戸閉押釦１３の小型化を図るとともに、かご操作盤の操作性を向上させることが可能となる。
【００２３】
実施の形態３．
図６は、この発明の実施の形態３におけるエレベータのかご操作盤の正面図である。図６において、戸開押釦３と第一戸閉押釦４との下方には、かごの停止中に戸閉動作を開始させる１つの第二戸閉押釦１４と、この第二戸閉押釦１４とは別に設けられて、乗客が自分の希望する行先階を登録する複数の行先階登録釦１５が設けられている。上記行先階登録釦１５は、各階床の乗場に対応する押釦が所定間隔毎に横に一列に並んで配置されている。そして、上記第二戸閉押釦１４は、横に並んで配置された各行先階登録釦１５の全ての押釦に対して隣接するように、各行先階登録釦１５と所定の間隔を有してその上方に横長に配置されている。
【００２４】
かかる構成を有することにより、各行先階登録釦１５が横に並んで配置されている場合でも、乗客は、行先階の登録と戸閉動作の登録とを１操作により同時に行うことができ、操作性に優れたかご操作盤を提供することが可能となる。なお、その他は、実施の形態１と同様の構成及び効果を有する。また、実施の形態２のように、最も操作されることが多いと想定される行先階登録釦１５にのみ隣接するように、小型の第二戸閉押釦１４を行先階登録釦１５の上方に配置しても良い。なお、上記は第二戸閉押釦１４を各行先階登録釦１５の上方に隣接するように配置した場合について説明したが、第二戸閉押釦１４を各行先階登録釦１５の下方に隣接するように配置しても同様の効果を奏することは言うまでもない。
【００２５】
実施の形態４．
図７はこの発明の実施の形態４におけるエレベータのかご操作盤の要部詳細図、図８はその横断面図である。図７及び図８において、戸開押釦と第一戸閉押釦との下方には、乗客が自分の希望する行先階を登録する複数の行先階登録釦１６と、この行先階登録釦１６とは別に設けられて、かごの停止中に戸閉動作を開始させる複数の第二戸閉押釦１７とが配置されている。上記行先階登録釦１６は、各階床の乗場に対応する押釦が所定間隔毎に縦に一列に並んで配置されている。また、各行先階登録釦１６は、かご操作盤の化粧板７の裏側に設けられたハウジング１８内に収納されており、乗客がかご室内において行先階を登録する際に触れる操作面１６ａが、化粧板７に形成された開口部からかご室内側に突出するように配置されている。この行先階登録釦１６の各操作面１６ａは、従来の行先階登録釦よりも横幅が広い略長方形状を呈しており、各階床を表す数字が表示された階床表示部１６ｂ、即ち、図７及び図８における操作面１６ａの中央部は、その周辺部よりもかご室内側に突出するように一段高く構成されている。
【００２６】
なお、１９はハウジング１８と各行先階登録釦１６との間に設けられて行先階登録釦１６の操作面１６ａがかご室内側に突出するように付勢する付勢体、１８ａ及び１８ｂはハウジング１８の内面に設けられた電気接点、１６ｃ及び１６ｄはこれらの電気接点１８ａ及び１８ｂにそれぞれ所定の間隙を有して対向するように行先階登録釦１６に設けられ、かご室内の乗客により行先階登録釦１６が押された際に電気接点１８ａ及び１８ｂに接触するように配置された電気接点である。
【００２７】
一方、上記第二戸閉押釦１７はハウジング１８内に設けられ、その操作面１７ａが、行先階登録釦１６の操作面１６ａの階床表示部１６ｂ以外の部分に形成された開口部からかご室内側に僅かに突出するように、各行先階登録釦１６の操作面１６ａ内にそれぞれ配置されている。なお、第二戸閉押釦１７は、タクタイルスイッチ（例えば、オムロン（株）製形Ｂ３ＳＮ）等の小型スイッチにより構成される。
【００２８】
また、図９は、図７に示すエレベータのかご操作盤の電気回路図である。図９において、Ｃ１からＣ４は、各行先階登録釦１６の電気接点１６ｃ及び１６ｄがハウジング１８の電気接点１８ａ及び１８ｂに接触することにより短絡するスイッチを示し、例えば、かご室内の乗客によって１階を表示する行先階登録釦１６が押されることにより、スイッチＣ１の短絡によって発生する１階の行先呼び信号がエレベータの外部信号取込Ｉ／Ｆ１２に入力される。また、Ｃ５は第一戸閉押釦４が乗客により押されることによって短絡する戸閉スイッチ、Ｃ６１からＣ６４は各第二戸閉押釦１７が乗客によって押されることにより短絡する戸閉スイッチを示し、例えば、１階を表示する行先階登録釦１６の操作面１６ａ内に配置された第二戸閉押釦１７が押されることにより、戸閉スイッチＣ６１の短絡によって発生する戸閉信号がエレベータの外部信号取込Ｉ／Ｆ１２に入力される。
【００２９】
かかる構成を有するエレベータのかご操作盤を操作する場合、エレベータ乗場からかご室内へ乗り込んだ乗客は、例えば、１階が表示された行先階登録釦１６の操作面１６ａ内に配置された第二戸閉押釦１７を押すことにより、自分の希望する行先階の登録と戸閉動作の登録とを１階の操作で行う。即ち、第二戸閉押釦１７の操作面１７ａは狭い範囲に限定されているため、操作面１７ａを操作する際には、乗客の指は、必ず行先階登録釦１６の操作面１６ａにも触れることになる。かかる操作により、スイッチＣ１及び戸閉スイッチＣ６１が短絡することにより、エレベータの外部信号取込Ｉ／Ｆ１２には、１階の行先呼び信号と戸閉信号とがほぼ同時に入力される。そして、図示しないエレベータ制御手段により、直ちに戸閉動作が開始されるとともに、戸全閉後、かごの１階への移動が行われる。
【００３０】
この発明の実施の形態４によれば、乗客は、自分の希望する行先階の登録と戸閉動作の登録とを同時に行うことができ、操作性に優れる。なお、乗客が行先階の登録のみを行う場合には、行先階登録釦１６の階床表示部１６ｂを押せば良い。即ち、行先階登録釦１６の操作面１６ａは階床表示部１６ｂが他の部分よりも一段高くなるように構成されているため、行先階登録釦１６が押された際の階床表示部１６ｂを、押されていない第二戸閉押釦１７の操作面１７ａよりもかご室内側に常時突出するように配置することにより、乗客の操作する指が第二戸閉押釦１７に接触することを防止することが可能となる。なお、その他は、実施の形態１又は２と同様の構成及び効果を奏する。
【００３１】
なお、この発明においては機械式押釦を有するかご操作盤について説明したが、電子式押釦を備えたかご操作盤においても、上記と同様の構成を有することにより、実施の形態１から４と同様の効果が得られることは言うまでもない。
【図面の簡単な説明】
【００３２】
【図１】この発明の実施の形態１におけるエレベータのかご操作盤の正面図である。
【図２】図１に示すエレベータのかご操作盤の横断面図である。
【図３】図１に示すエレベータのかご操作盤の電気回路図である。
【図４】この発明の実施の形態１におけるエレベータのかご操作盤の操作を説明するための図である。
【図５】この発明の実施の形態２におけるエレベータのかご操作盤の操作を説明するための図である。
【図６】この発明の実施の形態３におけるエレベータのかご操作盤の正面図である。
【図７】この発明の実施の形態４におけるエレベータのかご操作盤の要部正面図である。
【図８】図７に示すエレベータのかご操作盤の横断面図である。
【図９】図７に示すエレベータのかご操作盤の電気回路図である。
【符号の説明】
【００３３】
１  昇降方向表示器
２  階床表示器
３  戸開押釦
４  第一戸閉押釦
５、１５、１６  行先階登録釦
５ａ、１６ａ  操作面
５ｂ、１６ｂ  階床表示部
５ｃ、５ｄ、１６ｃ、１６ｄ  電気接点
６、１３、１４、１７  第二戸閉押釦
６ａ、１７ａ  操作面
６ｂ、６ｃ  電気接点
７  化粧板
８、１０、１８  ハウジング
８ａ、８ｂ、１０ａ、１０ｂ、１８ａ、１８ｂ  電気接点
９、１１、１９  付勢体
１２  外部信号取込Ｉ／Ｆ
【図１】
2006298533.tif 000003
【図２】
2006298533.tif 000004
【図３】
2006298533.tif 000005
【図４】
2006298533.tif 000006
【図５】
2006298533.tif 000007
【図６】
2006298533.tif 000008
【図７】
2006298533.tif 000009
【図８】
2006298533.tif 000010
【図９】
2006298533.tif 000011